(57)【特許請求の範囲】
【請求項１】
組立設置自在な複数の内部屋形成用パネル部材を、既設部屋内に並設状態に組み立てて内部屋を形成してある内部屋形成構造であって、
前記内部屋内の空気を排気自在な排気ダクト部を、前記複数のパネル部材の内の一部に設け、前記排気ダクト部の出口を、前記既設部屋の開口部に臨む状態に設けてある内部屋形成構造。
【請求項２】
前記排気ダクト部の前記出口は、前記複数のパネル部材の内の壁パネルに設けてあり、前記排気ダクト部の入口は、前記複数のパネル部材の内の天井パネルに設けてある請求項１に記載の内部屋形成構造。
【請求項３】
前記排気ダクト部は、前記壁パネルに形成した壁ダクト部と、前記天井パネルに形成した天井ダクト部とから構成してあり、前記壁ダクト部と前記天井ダクト部とは、前記壁パネルと前記天井パネルとを組み立てるに伴って連通する状態に形成してある請求項２に記載の内部屋形成構造。
【発明の詳細な説明】
【０００１】
【発明の属する技術分野】
本発明は、組立設置自在な複数の内部屋形成用パネル部材を、既設部屋内に並設状態に組み立てて内部屋を形成してある内部屋形成構造に関し、前記既設部屋内に各パネル部材を組み立てることによって、前記既設部屋を、例えば、音響スタジオ・ＡＶ室・カラオケ室・ピアノ練習室等の防音室や、フィットネス室・スポーツ練習室等の防振室や、空気清浄機能付の在宅介護室・子供部屋等の居室にリフォームすることができる内部屋形成構造に関する。
【０００２】
【従来の技術】
従来、この種の内部屋形成構造としては、図１０に示すように、内部屋Ｒ内の空気排気用の換気扇Ｆを取り付ける壁パネル３に、前記換気扇Ｆからの導管Ｐ２をパネル厚み方向に貫通する状態に配置自在な貫通孔４０を設けてあった。
【０００３】
【発明が解決しようとする課題】
上述した従来の内部屋形成構造によれば、前記貫通孔を形成してある壁パネルが、たまたま既設部屋の開口部に対応した箇所に組み立てられている場合は、前記排気管は、貫通孔を通して既設部屋の開口部から外部に通ずる状態に設置することができるものの、前記貫通孔を形成してある壁パネルが、既設部屋の壁に対応した箇所に組み立てられている場合には、既設部屋の壁に、前記排気管を挿通させるための挿通孔を設置しなければならず、内部屋形成作業上の時間と手間が掛かるという問題点があった（図１０（イ）参照）。
また、この問題を回避するためには、壁パネルの貫通孔から、既設部屋の開口部まで排気ダクトを別途設ける場合には、そのための手間が余分に掛かることに加えて、その排気ダクトの配置空間を既設部屋の壁と前記壁パネルとの間に確保する必要があることから、その分、壁パネルを室内側に寄せた位置に配置することとなり、その結果、内部屋の面積が小さくなると言った新たな問題が発生する（図１０（ロ）参照）。
【０００４】
従って、本発明の目的は、上記問題点を解消し、手間をかけずに効率よく内部屋を形成することが可能な内部屋形成構造を提供するところにある。
【０００５】
【課題を解決するための手段】
請求項１の発明の特徴構成は、図６・９に例示するごとく、組立設置自在な複数の内部屋形成用パネル部材Ｍを、既設部屋１ａ内に並設状態に組み立てて内部屋Ｒを形成してある内部屋形成構造において、前記内部屋Ｒ内の空気を排気自在な排気ダクト部１０を、前記複数のパネル部材Ｍの内の一部に設け、前記排気ダクト部１０の出口１１を、前記既設部屋１ａの開口部２０に臨む状態に設けてあるところにある。
請求項１の発明の特徴構成によれば、一般的なパネル部材を組み立てるのと同様の要領で、前記排気ダクト部を形成してあるパネル部材を組み立てるだけで、パネル部材に設けられた排気ダクト部が、その入口から出口までの連通路を構成することが可能となり、従来のように排気ダクトを別途設けることなく、室内空気を排気可能な状態の内部屋を、簡単、且つ、迅速に形成することが可能となる。そして、前記出口からの排気は、既設部屋の開口部を通して実施できる。
また、前記排気ダクトの入口位置は、各パネル部材の任意の位置に設定しておくことが可能であるから、換気扇の設置位置の自由性を向上させることが可能となり、例えば、天井パネルに換気扇を設置して、内部屋の換気をより好ましい状態で実施することが可能となる。尚、室内換気のための排気は、室内空気の対流を鑑みると、壁部分から行うのに比べて、天井部分から行う方がバラツキが少ない状態で効率よく実施することができることが知られている。
更には、パネル部材に前記排気ダクト部が設けられているわけであるから、既設部屋の壁とパネル部材との間にダクト配置空間を別途も受ける必要もなく、内部屋の面積をより広く確保することが可能となる。
【０００６】
請求項２の発明の特徴構成は、図６・９に例示するごとく、前記排気ダクト部１０の前記出口１１は、前記複数のパネル部材Ｍの内の壁パネル３に設けてあり、前記排気ダクト部１０の入口１２は、前記複数のパネル部材Ｍの内の天井パネル４に設けてあるところにある。
請求項２の発明の特徴構成によれば、請求項１の発明による作用効果を叶えることができるのに加えて、天井パネルの入口から、壁パネルの出口を経由して、既設部屋の開口部へ室内空気を排気することができるから、上述のように、室内空気の対流を有効に利用して、より好ましい状態での換気を実施することが可能となる。
【０００７】
請求項３の発明の特徴構成は、図９に例示するごとく、前記排気ダクト部１０は、前記壁パネル３に形成した壁ダクト部１０Ａと、前記天井パネル４に形成した天井ダクト部１０Ｂとから構成してあり、前記壁ダクト部１０Ａと前記天井ダクト部１０Ｂとは、前記壁パネル３と前記天井パネル４とを組み立てるに伴って連通する状態に形成してあるところにある。
請求項３の発明の特徴構成によれば、請求項２の発明による作用効果を叶えることができるのに加えて、壁パネルと天井パネルを組み立てるだけで、それらに跨った排気ダクト部が形成され、より簡単な組み立て作業によって、排気機能を備えた内部屋を形成することが可能となる。
【０００８】
尚、上述のように、図面との対照を便利にするために符号を記したが、該記入により本発明は添付図面の構成に限定されるものではない。
【０００９】
【発明の実施の形態】
以下に本発明の実施の形態を図面に基づいて説明する。尚、図面において従来例と同一の符号で表示した部分は、同一又は相当の部分を示している。
【００１０】
図１は、一般住宅の既設の壁、床、天井等の構造体１によって形成された既設部屋１ａ内に、内部屋形成用部材（本発明に係わるパネル部材に相当）Ｍを用いて在宅介護用居室（本発明に係わる内部屋に相当し、以後、単に居室という）Ｒを形成してある状況を示すものである。
前記形成用部材Ｍは、新たに形成される前記居室Ｒ内に面する片面が仕上げ処理された複数の壁パネル３と複数の天井パネル４とで構成してある。
前記壁パネル３は、一般壁部分を構成する平板壁パネル３ａ、及び、居室角部分に配置されるＬ字型のコーナ壁パネル３ｂをもって構成してある。因みに、前記各平板壁パネル３ａの内、戸設置用の新開口部２１の両側方にそれぞれ配置される一対の平板壁パネルを右パネル３ｃ・左パネル３ｄといい、前記新開口部２１の上部に配置される平板壁パネルを上パネル３ｅという。
また、前記複数の天井パネル４の内の一つ、及び、前記複数の壁パネル３の内の一つには、前記居室Ｒ内の空気を排気自在な排気ダクト部１０を設けてある。
【００１１】
尚、図２は、リフォーム前の前記構造体１によって形成される前記既設部屋１ａ内を側面視したものであり、図３は、前記既設部屋１ａ内をリフォームした後の前記新たな居室Ｒを示す。
ここで、前記コーナ壁パネル３ｂは平面視形状がＬ字型であるため、他の支持構造部材に頼らず自立できるので、先ず、前記コーナ壁パネル３ｂの一つを前記既設部屋１ａ内の一つのコーナに載置し、それに前記平板壁パネル３ａを連結することで、壁面のリフォームが前記各壁パネル３の組み立てだけで、他の構造部材の組み立て等の作業を伴わずに行えるのである（図１参照）。
【００１２】
また、図５に示すように、前記既設部屋１ａの既存開口部２０の開口面積の大半は、前記新開口部２１として使用される。即ち、前記左パネル３ｄ、及び、上パネル３ｅは、縁が前記既存開口部２０と一致する状態に形成してある一方、前記右パネル３ｃは、その一部が前記既存開口部２０に重なる状態に設置されている。
そして、この右パネル３ｃに、前記排気ダクト部１０の一部を構成する壁ダクト部１０Ａを設けてある。また、壁ダクト部１０Ａの基端部は、前記天井パネル４に設けた天井ダクト部１０Ｂに対して連通接続自在に形成してあり、この両ダクト部１０Ａ・１０Ｂは、前記壁パネル３と前記天井パネル４とを組み立てる際に、端部どうしが嵌合する状態に連通接続され、その結果、一連の排気ダクト部１０を形成するように構成してある。
また、図６に示すように、壁ダクト部１０Ａの先端部開口（本発明に係わる出口に相当）１１は、前記既存開口部２０に臨む状態に設けてある。従って、天井ダクト部１０Ｂからの排気空気を、前記先端部開口１１から、既存開口部２０を通してそのまま外部に排気することができ、排気ダクトの出口部分を納まりよくすることが可能となる。尚、既存開口部２０に設けられた引き違い戸Ｗ１には、先端部開口１１に連通接続させた導管Ｐ２を貫通状態に固定してある。
【００１３】
一方、前記天井パネル４には、前記排気ダクト部１０の一部を構成する天井ダクト部１０Ｂを設けてある。天井ダクト部１０Ｂの一端部開口（本発明に係わる入口に相当）１２には、居室Ｒ内の空気を前記排気ダクト部１０を通して換気できるように前記天井パネル４に取り付けられた換気扇Ｆが設けてある。天井ダクト部１０Ｂの他端部は、上述のとおり、壁ダクト部１０Ａと連通接続自在に構成されている。
尚、前記壁ダクト部１０Ａ、天井ダクト部１０Ｂとも、内周部全域（又は、ほぼ全域）にグラスウール１３を貼着してあり、その内側に、合成樹脂製の可撓性を有するチューブＰ１を内装してある。従って、前記排気ダクト部１０内を通した排気による騒音を、前記グラスウール１３によって低減できるものである。また、このグラスウール１３を設けてあることによって、排気ダクト部１０と居室Ｒ内との遮熱効果をも期待することができる。更には、壁ダクト部１０Ａと天井ダクト部１０Ｂとの連通接続の際に、接続作業を実施しやすい姿勢にチューブＰ１の端部を引き出しながら実施できるため、効率よくパネル組み立て作業を実施することが可能となる。
【００１４】
次に、前記各壁パネル３の組み立てについて説明する。
図４、図７に示すように、前記壁パネル３の上端面３１及び前記上パネル３ｅの上端面２３には、夫々、各壁パネル３の全幅にわたる連通溝３２が設けられてあり、前記各壁パネル３の各側端面３３同士を当接させ、前記各連通溝３２に嵌合可能な連結部材３４を、前記上端面３１・２３の境界をまたいで嵌め込むことで、前記壁パネル３同士の連結と位置合わせを同時に行うことができる。
また、図４に示すように、前記上パネル３ｅの前記連通溝３２の両端部には前記連結部材３４と同形状の部材を一部分を左右両外側に突出させた状態で予め前記連通溝３２に固着して形成された連結部２４が設けられており、その突出した前記連結部２４を左右両側に隣接する前記横パネル部材３ｃの前記連通溝３２に嵌め込ませることで、前記上パネル３ｅの前記上端面２３と前記横パネル部材３ｃの前記上端面３１が同じ高さで揃った状態で、前記上パネル３ｅが前記両横パネル部材３ｃによって支持される。
尚、前記壁パネル３同士の連結は、前記上端面３１以外でも行い、図８に示すように、前記側端面３３において、一方側に室内側からの回動操作でパネル面に垂直な軸芯周りに回動自在な係止爪金具３５を内蔵した係止部３６を設け、他方側には、前記係止爪金具３５が所定の回動位置で係止される係止ピン３７を内蔵した被係止部３８を設けてあり、前記回動操作によって前記係止部３６と前記被係止部３８を連結できるように構成してある。このように、前記壁パネル３同士の連結が前記居室Ｒ室内側からの操作で行えることにより、パネル組み立てまたは解体作業が迅速に行えるのである。
【００１５】
図４に示すように、前記上パネル３ｅの底面には前記新開口部２１の枠体２５の上辺部材２６が設けられ、前記新開口部２１の左側に位置する前記左パネル３ｄの右側端面に前記枠体２５の左辺部材２７が設けられ、前記新開口部２１の右側に位置する前記右パネル３ｃの左側端面に前記枠体２５の右辺部材２８が設けられており、前記上パネル３ｅと前記右パネル３ｃ・左パネル３ｄとを組み立てることにより、前記新開口部２１の周縁部において、前記上辺部材２６、前記左辺部材２７、前記右辺部材２８の夫々のコーナ部が突き合わさって連結して前記枠体２５が構成される。また、枠体２５には、引き違い戸Ｗ２が嵌め込まれる  （図３参照）。
【００１６】
前記天井パネル４の組み立ては、前記壁パネル３及び前記上パネル３ｅの組み立て後に、前記天井パネル４の周縁部下面側に設けられた前記連通溝３２に嵌合可能な突起部４ａを、前記連通溝３２の前記連結部材３４が嵌め込まれた以外の溝部分に嵌め込むように、前記天井パネル４の周縁部を前記各壁パネル３及び前記上パネル３ｅ上に載置連結する。これにより、前記連結部材３４は前記連通溝３２にあって、左右からは前記天井パネル４の前記突起部４ａによって、上からは前記天井パネル４の周縁部下面によって固定されるのである。
【００１７】
前記壁パネル３、前記天井パネル４の前記部屋空間２側に面する表面は、夫々、上述の如く仕上げ処理が施されており、前記各部材の組み立てを行うだけで、現場での仕上げ処理は必要とされない。また、前記各部材の仕上げ処理を多種類にわたって工場生産にて準備して部品化しておくことで、リフォーム設計の自由度を低下させることなく、現場施工の効率化、リフォーム設計及び工事の総コストの低価格化が図れるのである。
【００１８】
以下に別実施形態を説明する。
〈１〉本実施形態では、排気ダクト部１０が、壁ダクト部１０Ａと天井ダクト部１０Ｂとに別れた構成を説明したが、例えば、壁パネル３に換気扇Ｆを取り付けてある場合には、壁ダクト部１０Ａのみを設けて排気ダクト部１０を構成するものであってもよく、又は、室内排気を既設部屋１ａの天窓から排気するような場合には、天井パネル４に換気扇Ｆを取り付けて、天井ダクト部１０Ｂのみを設けて排気ダクト部１０を構成するものであってもよい。
また、先の実施形態のように、壁ダクト部１０Ａと天井ダクト部１０Ｂとから排気ダクト部１０を構成する場合においても、両ダクト部１０Ａ・１０Ｂどうしの連結部分を、図９に示すように、各パネルに固着した嵌合自在な構成とし、前記壁パネル３と前記天井パネル４とを組み立てるに伴って自動的に連通接続する状態に形成してあれば、より能率よく内部屋形成作業を進めることが可能となる。
〈２〉本実施形態では、前記新開口部２１は、下方端が床面まで開口した出入り口用の開口部であったが、その開口部は窓等のように、例えば腰高の壁パネルを前記開口部形成パネル部材の一つとして開口部の下方側に備えたものであっても構わない。この場合、その腰高の壁パネルの上端面に新開口部の枠体の下辺部材を取り付けてあるのも好ましく、また、その両側端面の下方部において、一方側に前記係止部３６を設け、他方側には、前記被係止部３８を設けてあるのも好ましい実施の形態である。
〈３〉本実施形態では、既存の床面を使用したリフォームを想定しているが、床面も含めたリフォームの場合は、既存の床面に対して床パネル部材を載置敷設した後に、前記壁パネル３及び前記天井パネル４の組み立て工事を行うか、或いは、前記壁パネル３を組み立てた後に、既存の床面に対して床パネル部材を載置敷設するようにしても構わない。
【図面の簡単な説明】
【図１】内部屋形成状況を示す分解斜視図
【図２】既設部屋を示す一部切欠き斜視図
【図３】内部屋を示す一部切欠き斜視図
【図４】パネル組み立て状況を示す要部分解斜視図
【図５】パネル組み立て状況を示す要部分解斜視図
【図６】内部屋形成構造を示す要部断面図
【図７】パネル組み立て状況を示す要部分解斜視図
【図８】パネル連結状況を示す要部斜視図
【図９】別実施形態のパネル組み立て状況を示す要部断面図
【図１０】従来の内部屋形成構造を示す上面視断面図
【符号の説明】
１ａ    既設部屋
３      壁パネル
４      天井パネル
１０    排気ダクト部
１０Ａ  壁ダクト部
１０Ｂ  天井ダクト部
１１    出口
１２    入口
２０    開口部
Ｍ      パネル部材
Ｒ      内部屋
【図１】
0004189480.tif 000002
【図２】
0004189480.tif 000003
【図３】
0004189480.tif 000004
【図４】
0004189480.tif 000005
【図５】
0004189480.tif 000006
【図６】
0004189480.tif 000007
【図７】
0004189480.tif 000008
【図８】
0004189480.tif 000009
【図９】
0004189480.tif 000010
【図１０】
0004189480.tif 000011